(57)【要約】【課題】試料採取されるべき量の値を表示するための少なくとも１つのトラックおよび１つのブラシを備えている手持ち式ピペットを提供する。【解決手段】この手持ち式ピペットは、インクレメント（８４、８６）を有する少なくとも１つのトラック（８０、８２）と、少なくとも１つのブラシとを備えている。また、このピペットは、各トラックから独立していて、各ブラシが所定の数のインクレメントだけ移動した後に各ブラシに接触するように配置されているレジスタ領域（９４）を備えている。【選択図】図５
2007528494.tif 000002
【特許請求の範囲】
【請求項１】
インクレメント（８４、８６）を有する少なくとも１つのトラック（８０、８２）と、
少なくとも１つのブラシ（６８）と、を備えている手持ち式ピペットにおいて、
このピペットは、各トラックから独立していて、所定数のインクレメント（８４）だけ移動した後に各ブラシに接触するように配置されたレジスタ領域（９４）を備えていることを特徴とする手持ち式ピペット。
【請求項２】
接触領域および各トラックから独立していて、試料採取されるべき量を調整する手段（１０）が所定の構成にあることを検出するための手段を備えていることを特徴とする先行請求項に記載のピペット。
【請求項３】
トラック（８０、８２）は数が少なくとも２つであり、インクレメント（８４、８６）は、ブラシ（６８、７０）がこれらのブラシによるトラック上での移動方向における異なる続発における接触を達成するように、配置されていることを特徴とする請求項１または２に記載のピペット。
【請求項４】
ブラシ（６８、７０）は２つのトラック（８０、８２）と同時に接触するように配置されていることを特徴とする請求項１ないし３のうちのいずれか１項に記載のピペット。
【請求項５】
ブラシ（６８、７０）はトラック（８０、８２）と非同時に接触するように配置されていることを特徴とする請求項３または４に記載のピペット。
【請求項６】
各ブラシ（６８、７０）は１つのトラック（８０、８２）のみと接触することができるように配置されていることを特徴とする請求項３ないし５のうちのいずれか１項に記載のピペット。
【請求項７】
夫々のトラック（８０、８２）と関連された少なくとも２つのブラシ（６８、７０）を備えていることを特徴とする請求項３ないし６のうちのいずれか１項に記載のピペット。
【請求項８】
各トラック（８０、８２）と関連された少なくとも２つのブラシ（６８、７０）を備えていることを特徴とする請求項３ないし７のうちのいずれか１項に記載のピペット。
【請求項９】
ブラシ（６８、７０）は永久的に互いに電気的に接続されていることを特徴とする請求項７または８に記載のピペット。
【請求項１０】
アーストラック（９２）を備えており、各ブラシ（６８、７０）は永久的にアーストラックに電気的に接続されていることを特徴とする請求項１ないし９のうちのいずれか１項に記載のピペット。
【請求項１１】
トラック（８０、８２）またはブラシ（６８）用の少なくとも１つの支持体（５４）を備えており、この支持体は部片（１０）に回転可能に固定されていて、この部片（１０）上で摺動自在であることを特徴とする請求項１ないし１０のうちのいずれか１項に記載のピペット。
【請求項１２】
少なくとも１つのブラシ（６８）と、インクレメント（８４、８６）を有する少なくとも１つのトラック（８０、８２）とを備えている手持ち式ピペットにより試料採取されるべき量の値を定める方法において、
試料採取されるべき量を調整する手段（１０）が所定の構成にあることを検出し、
量の調整を変更し、
各トラック（８０、８２）から独立したレジスタ領域（９４）とのブラシ（６８）の接触を検出し、
量の値を所定の基準値によって定める、ことを特徴とする試料採取されるべき量の値を定める方法。
【請求項１３】
所定の構成が量の値の極値に対応することを特徴とする請求項１２に記載の方法。
【請求項１４】
トラック（８０、８２）に対するレジスタ領域（９４）の位置に関する値がピペットに記録されることを特徴とする請求項１２ないし１３のうちのいずれか１項に記載の方法。
【請求項１５】
接触以後のブラシが移動した道程の数が測定されることを特徴とする請求項１２ないし１４のうちのいずれか１項に記載の方法。
【請求項１６】
レジスタ領域（９４）とのブラシ（６８）の次々の接触の数が測定されることを特徴とする請求項１２ないし１５のうちのいずれか１項に記載の方法。
【請求項１７】
手持ち式ピペットを制御する方法において、
レジスタ領域（９４）との少なくとも１つのブラシ（６８）の２回の接触の間でブラシ（６８）によりトラック（８０）上で移動された道程の数を測定し、
測定された数を所定の数と比較する、ことを特徴とする制御方法。
【請求項１８】
所定の数を考慮して、試料採取されるべき液体の量の値の表示を要求することを特徴する請求項１７に記載の制御方法。
【請求項１９】
測定された数が所定の数と異なる場合、警報メッセージを表示することを特徴とする請求項１７ないし１８のうちのいずれか１項に記載の制御方法。
【請求項２０】
トラック（８０、８２）の数が少なくとも２つであり、
トラック（８０、８２）とのブラシ（６８、７０）の接触の続発を検出し、
検出された続発を所定の続発と比較する、ことを特徴とする請求項１７ないし１９のうちのいずれか１項に記載の制御方法。
【発明の詳細な説明】
【技術分野】
【０００１】
本発明はピペット、特に、手持ち式ピペットに関する。
【背景技術】
【０００２】
液体を試料採取し、引き続き、この液体を放出する目的でピストンを移動されるための手持ち式ピペットが、特に文献フランス特許第２８０７５５８号から知られている。このピペットは、試料採取されるべき液体の量の値を調整するための手段と、この値を表示するための電子スクリーンとを備えている。
調整手段の所定の機械的構成に対応する校正値をピペット制御マイクロプロセッサに記録することによってこのピペットを校正することが可能である。ピペットは、インクレメントを有していて、量調整手段に連結された１つまたはそれ以上のトラック上で移動する１つまたはそれ以上のブラシを備えている。使用者が試料採取されるべき量の調整を変更すると、ブラシがトラックにおけるインクレメント上で移動し、マイクロプロセッサが移動されたインクレメントの数を数え、従って、それにより得られた調整に対応する新しい量の値を表示することができる。
【０００３】
それにもかかわらず、１つの欠点は以下の点である。すなわち、ピペットに電流が供給されていないときに（ピペットはオフに切り換えられたか、或いはエネルギ源が使い果たされたときに）使用者が量の調整を変更する場合、ピペットは移動されたインクレメントの総数を失う。ピペットは、これにエネルギが再度供給されると、もはや、得られた量調整に対応する正しい値を表示する位置にない。
【発明の開示】
【発明が解決しようとする課題】
【０００４】
本発明の１つの目的は、ピペットに電力が供給されていない間に、調整手段が操られても、試料採取されるべき正しい量の値を表示することを可能にすることによって、この欠点を軽減することである。
【課題を解決するための手段】
【０００５】
この目的で、本発明によれば、インクレメントを有する少なくとも１つのトラックと、
少なくとも１つのブラシと、を備えている手持ち式ピペットであって、
各トラックのためのものであって、所定数のインクレメントだけ移動した後に各ブラシに接触するように配置された独立したレジスタ領域を備えている手持ち式ピペットが提供される。
独立したレジスタ領域は多くの応用を有している。
【０００６】
かくして、ピペットが始動されていない間に量調整手段が操られても、正しい量の値を表示する目的で、マイクロプロセッサをリセットすることが可能である。例えば、好適な実施形態では、調整手段が所定の構成、例えば、機械的底当接状態にあることが検出される。次に、ブラシがレジスタ領域と接触するように、量の調整が変更される。マイクロプロセッサは所定の構成を去った後に初めの接触を形成するこの接触を検出する。従って、マイクロプロセッサは再度、調整手段の正確な機械的構成を知る。従って、マイクロプロセッサは、この接触からインクレメントの数を数えることにより、所定の基準値を使用して、調整されたときの量の値をいつでも再度正しく表示することができる。
【０００７】
他の応用では、レジスタ領域はマイクロプロセッサによるインクレメントを数えることに関したセキュリティを構成する。これは、好適実施の形態では、マイクロプロセッサが、レジスタ領域とのブラシの２回の接触の間にブラシがトラック上で移動したインクレメントの数を測定するようにすることが可能である。引き続き、マイクロプロセッサは、測定された数を、マイクロプロセッサに先に記憶されていて、インクレメントの実際の数に対応する値と比較する。これらの２つの数が異なれば、これは異常が生じたことを意味する。これは、例えば、インクレメントが少量の汚れを有し、従ってブラシがこのインクレメント上を通過するときにブラシとの電気接触を行なうことができない場合である。このような異常が存在する場合、マイクロプロセッサ自身がレジスタ領域との接触により表示されるべき量の値を補正するための対策を講じることが可能である。
【０００８】
本発明によるピペットは、また、下記の特徴うちの少なくともいずれか１つを有することができる。
ピペットは接触領域および各トラックから独立していて、試料採取されるべき量を調整する手段が所定の構成にあることを検出するための手段を備えている。
トラックは数が少なくとも２つであり、インクレメントは、ブラシがこれらのブラシによるトラック上での移動方向に沿った異なる続発におけるトラックと接触するように、配置されている。
【０００９】
ブラシは２つのトラックと同時に接触するように配置されている。
ブラシはトラックと非同時に接触するように配置されている。
各ブラシは１つのトラックのみと接触することができるように配置されている。
ピペットは夫々のトラックと関連された少なくとも２つのブラシを備えている。
ピペットは各トラックと関連された少なくとも２つのブラシを備えている。
【００１０】
ブラシは永久的に互いに電気的に接続されている。
ピペットは、また、アーストラックを備えており、各ブラシは永久的にアーストラックに電気的に接続されている。
ピペットはトラックまたはブラシ用の少なくとも１つの支持体を備えており、この支持体はピペットの部片に回転可能に固定されていて、この部片上で摺動自在である。
【００１１】
また、本発明によれば、少なくとも１つのブラシと、インクレメントを有する少なくとも１つのトラックとを備えている手持ち式ピペットにより試料採取されるべき量の値を定める方法であって、
試料採取されるべき量を調整する手段が所定の構成にあることが検出し、
量の調整を変更し、
各トラックから独立したレジスタ領域とのブラシの接触を検出し、
量の値を所定の基準値によって定める、試料採取されるべき量の値を定める方法が提供される。
【００１２】
この値を定める方法は下記の特徴のうちの少なくともいずれか１つを有することができる。
所定の構成は量の値の極値に対応する。
トラックに対するレジスタ領域の位置に関する値がピペットに記録される。
接触以後のブラシが移動した道程の数が測定される。
レジスタ領域とのブラシの次々の接触の数が測定される。
【００１３】
また、本発明によれば、手持ち式ピペットを制御する方法であって、
レジスタ領域との少なくとも１つのブラシの２回の接触の間でブラシがトラック上で移動する道程の数を測定し、
測定された数を所定の数と比較する制御方法が提供される。
この制御方法は下記の特徴のうちの少なくともいずれか１つを有することができる。
所定の数を考慮して、試料採取されるべき液体の量の値の表示を要求する。
測定された数が所定の数と異なる場合、警報メッセージを表示する。
トラックの数が少なくとも２つであり、トラックとのブラシの接触の続発を検出し、  検出された続発を所定の続発と比較する。
本発明の他の特徴および利点は、添付図面を参照して非限定的な例として挙げられる好適な実施の形態の下記の説明から現われてくるであろう。
【発明を実施するための最良の形態】
【００１４】
図１および図２を参照して本発明によるピペットの好適な実施形態を説明する。
このピペットは、本質的に、文献第ＷＯ０１／７６７４７号、第ＷＯ０１／７６７４８号、第ＷＯ０１／７６７４９号、第ＷＯ０１／７６７５０号、第ＷＯ０１／７６７５１号、第ＷＯ０１／７６７５２号、第ＷＯ０１／７６７５３号、および第ＦＲ-２８０７５５８号に記載されている種類のものである。従って、本発明に関していて、これらの穿孔文献に記載されていない特徴のみをここに示す。
要するに、ピッペット２は、ボディ４と、作動ノブ８を先端に備えている制御ロッド６と、調節ねじ１０と、情報、詳細には、サンプル採取されるべき量の値の表示のための液晶スクリーン１２と、表示およびピペットを制御するための電子回路１４と、公知なようにしてピペットの底端部２０に固定された取外し可能な円錐体の放出を許容するノブ１８を備えている装置１６とを備えている。ロッド６により、取られるべき液体試料を円錐体に吸入するか、或いはそれを排出するためのピストン２１を制御することを可能にしている。
【００１５】
ピペットは、手で作動可能であって、モータ付きではない手持ち式ピペットである。ピペットを使用するには、使用者がその手にボディ４を握り、使用者の指、例えば、親指によってボタン８またはボタン１８を必要に応じて作動する。
ピペットは、使用者がピペットにより試料採取すべき量の値を調整することができる公知な手段を備えている。この目的で、ねじ１０は、ナットを形成し、このナットで螺旋連結を行なうボディの部分５０と係合している。ねじはピストン２１を支持するロッド６の肩部のための頂ストッパを構成する底端部５２を有している。従って、ねじの位置がピストンにより吸入される量の値を定める。使用者は、ノブ８によってねじを操ってロッドをその長さ方向軸線のまわりに回転させる。ロッド６は、これが通るねじ１０と同軸であって、ねじ１０に固定されており、ねじもまた、それ自身、回転される。また、使用者はボディ４における窓（これは公知であって、ここでは説明しない）を通して接近可能である刻み付きホイールに作用することにより調整を変更することができる。
【００１６】
ピペットは、図３に示すように、ねじ１０にすべり嵌めされたワッシャの形態のブラシ-ホルダプレート５４を備えている。図３において、より容易性のために、ねじは、あたかも中実であるように示されているが、それを通るロッド６を有していることが理解されるべきである。プレート５４は、本質的に平らな形状を有していて、ねじの長さ方向軸線に対して垂直な一般平面内で延びている。プレート５４は、各々がプレートにおける中央オリフィス６０の内縁部から半径方向に突出して延びている２つのラグ５８を有している。ねじ１０はその外面に切込んでいる２つの溝６２を有している。各溝は軸線５６と平行に延びている。プレート５４は、ラグ５８が夫々の溝６２に収容されるようにねじ１０にすべり嵌めされている。また、プレート５４は、軸線５６に沿ったその高さが変化することができることなしにピペットに収容されている。この取付けの結果、プレート５４は軸線５６のまわりにねじ１０の移動中に回転可能にねじ１０に固定されることになる。この固定は、ねじ６１におけるラグ５８の収容から生じる。それにもかかわらず、ねじの螺旋移動中、プレート５４は、試料採取すべき量の調整が変更される場合、ねじがプレート５４に対して摺動可能に移動する（およびその逆）ように、ピペットのボディにおいて同じ高さのままである。
【００１７】
ピペットは、また、この場合には印刷回路の形態で配置されたコーダー６４を備えている。かくして、コーダーは図５に詳細に示されるトラックを有する支持体を備えている。コーダーは平らな形状を有しており、これもまた軸線５６に対して垂直な平面内で延びている。コーダーはプレート５４の向かい側に配置されている。コーダーは、円形のボディと、このボディの外縁部から半径方向に延びている突出部６７とを有している。コーダーはねじ１０にスリップ嵌めされながら、ピペットのボディ４にしっかり固定されている。
【００１８】
プレート５４はブラシを支持しており、これらのブラシは、この場合、数が６つであって、対をなして配置されている。かくして、一対のブラシ６８と、一対のブラシ７０と、一対のブラシ７２とが見える。ブラシすべては、ここでは、互いに平行である。各対のブラシは、２つのブラシを個別化するために端領域が長さ方向に分割されているトングにより構成されている。これらの３つのトングは同じ基部７４に固定されている。基部およびトングよりなる組立体は金属シートを切り取って成形することにより単一の部片に形成されている。このシートは３つのオリフィス７６を有しており、これらのオリフィス７６により、プレートの１つの面から突出するように延びていて、オリフィス７６を通るようになっている３つのスタッド７８によって基部７４をプレート５４に固定して適所に設定することができる。
【００１９】
図５を参照して、コーダー６４の構成を以下に説明する。コーダーは、２つの円形のトラック８０、８２すなわちトラックＡおよびトラックＢを備えている。これらのトラックの各々は、互いに同じであって、各トラックにおいて互いから一様に間隔を隔てられた複数のインクレメント８４、８６を有している。かくして、トラックＡは、本例では、トラックとちょうど同じように、２４個のインクレメント８４を有している。トラックＡにおいて、インクレメント８４は円弧における電気的リンク８４により外縁部のところで連結された矩形体により形成されている。同じことがトラックＢすなわちトラック８２にも当てはまり、インクレメント８６はそれらの内縁部のところでリンク９０によって互いに連結されている。トラックＡは、その端部が連続していないように開放された円形の一般形状を有している。同じことがトラックＢにも当てはまる。
【００２０】
軸線５６に関して、トラック８０の２つの次々のインクレメント８４を分離する角度の測定値はトラック８２における２つの次々のインクレメント８４を分離する角度の測定値に等しい。それにもかかわらず、２つのトラックにおけるインクレメントは一方のトラックと他方のトラックでは一致していない。本例では、インクレメントは軸線５６のまわりのトラックの角方向移動に関して部分的な角方向の重なり状態にある。
また、コ−ダーは、端部が連続するように閉鎖円形の一般形状を有するアーストラック９２を備えている。最後に、コ−ダーは、トラックＡ、Ｂの各々が及ぶ角度と比較して小さい全角度にわたって延びているレジスタ領域または旋回ピップ領域９４を備えている。この場合、レジスタ領域９４は、９０°未満、ここでは、５°と１０°との間にある角度の部分にわたって延びている。本例では、レジスタ領域９４はトラックＡ８０の各インクレメント８４を形成する矩形体と同じ形状および同じ寸法を有する矩形体により形成されている。また、このレジスタ領域は、このトラックの端部にそれぞれ最も近い２つのインクレメントから等距離にあって、これらの端部と並んでいる。
【００２１】
トラックＡ８０、トラックＢ８２、アーストラック９２およびレジスタ領域９４は、各々、夫々の導体によりコーダーの突出部６７において延びている出力端子に接続されている。
本例では、２つのブラシ６８はトラックＡ上で移動し、その結果、このトラックにおけるインクレメント８４と単独で接触するようになっている。同じことが２つのブラシ７０およびインクレメント８６を有するトラックＢにも当てはまる。他方、２つのブラシ７２は、少なくとも１つの例では、アーストラック９２と永久的に接触している。しかも、トラックＡのブラシ６８は、１旋回あたり一回、レジスタ領域９４と接触する。６つのブラシが同じ金属部片から製造されており、これらのブラシは互いにおよび特にアーストラックと直接または間接的に永久的に電気的接触している。
【００２２】
従って、ねじの移動中、ブラシ６８、７０がアーストラックの出力部を、時には、単独でトラックＡ８０の出力部と接触させ、時には、単独でトラックＢ８２の出力と接触させ、最後に時には、トラックＡ８０の出力部およびトラックＢ８２の出力と同時接続させることは理解されるであろう。ピペットにおいて、異なる電圧が、一方では、トラックＡ８０の出力とアーストラックの出力部との間、他方では、トラックＢ８２の出力とアーストラックの出力部との間に印加されることを知って、その結果、種々の出力信号がブラシによるインクレメント上の移動に応じてマイクロプロセッサに送信される。
【００２３】
０および１として表されるこれらの信号は図６に示されている。底線はトラックＢ８２のインクレメントにより発信された信号に対応しており、中間線はトラックＡ８０のインクレメントにより発信された信号に対応している。従って、これらの信号が１つのトラックから他のトラックまでずれていることを知って、マイクロプロセッサは、「００」、「０１」、「１１」、「１０」によりそれぞれ表される４つの電圧状態を識別する。これらの符号の各々において、第１数字はトラックＢの状態を表しており、第２数字はトラックＡの状態を表している。これらの種々の状態はブラシが移動した道程を構成する。
【００２４】
トラックＡ、Ｂのインクレメントの部分的な角方向重なりに関して、ブラシが図６に矢印１００で示される第１方向におけるコーダー上で移動するときにマイクロプロセッサにより受信される信号の続発は序列００、０１、１１、１０よりなる。他方、ブラシが反対方向にコーダー上で移動するとき、この続発は序列１０、１１、０１、００よりなり、先の序列は存在しない。従って、この続発は、ブラシの始点がどうであれ、先の続発と異なっている。従って、マイクロプロセッサは、いずれの時点でも、コーダー上のブラシの回転方向を検出すべき位置にある。従って、マイクロプロセッサは、試料採取されるべき量を増やす目的で、或いは反対に減らす目的で量調整手段が操られることを認識することができる（より簡単には、マイクロプロセッサは、例えば、回転方向を推定するために、続発における２つの次々の要素の順序、例えば、１０、１１または１１、１０を実際に検出することができる）。
【００２５】
また、マイクロプロセッサはブラシが移動した道程の数を数える。従って、各道程がピペット採取すべき量部分に対応することを知って、マイクロプロセッサは調整手段の新しい位置に応じてスクリーンにより表示される量の値を連続的に変更することができる。例として、ピペットが１０００ミクロメータの全容量を有しており、量を調整する手段が１旋回あたり１００個の道程を備えており、１つの道程が１ミクロメータに対応することが考えられる。電圧状態（「００」、「０１」、「１０」、「１１」）の各変化は、示されたトラックにより９９個の道程を識別することを可能にするように、１つの道程に対応する。しかも、ブラシ６８は、１旋回あたり一回、図示のように、レジスタ領域と接触する。
【００２６】
従って、ブラシをコーダー上で１旋回より多く移動させるために、調整手段が操られると、マイクロプロセッサは、レジスタ領域上の各通過において、完全な旋回が行なわれたことを検出する。各場合、マイクロプロセッサは所定の数での領域９４との先の接触以後に移動された道程の数を比較する。ピペットにおいて予め記録されたこの数は１旋回あたりの道程の数に対応する。検出された数が記録された数と異なれば、それは異常の問題である。一般に、数えられた道程の数は記録された数より少ない。その場合、マイクロプロセッサは、実際に数えられたが、行なわれた完全な旋回の道程の数を考慮しないためにスクリーン上の値の表示に対する補正を要求する。本例では、レジスタ領域９４はトラック９２と並んでおり、一回の旋回を行なうための道程の数は１００個の道程である。従って、レジスタ領域９４により送られた２つのピップ間の道程の数は９９であるはずである。
【００２７】
検出された異常によれば、特に、それらの頻度または反復度によれば、マイクロプロセッサがスクリーン上の１つまたはそれ以上の警戒メッセージまたはメンテナンスメッセージを送るための、またはもはや検出された数および記録された数の前記比較を行なうことなしに値の表示における欠陥に対する系統的な補正を行なうための対策を講じることができる。レジスタ領域９４の不在の場合、少なくとも１つのインクレメントが各旋回時にブラシと接触しないなら、旋回ごとに連続誤差が蓄積し、その結果、実際に試料採取された量と、表示された量の値との非常に大きい相違が生じる。
トラックの状態の各変化が既知の角方向変位に対応することがわかった。これにより、マイクロプロセッサは受信された信号をピペットに対して試料採取すべき液体の値に変換することができる。この情報を考慮して、調整手段の各移動時の回転方向および移動された道程の数を知って、マイクロプロセッサは、スクリーンに表示されるべきであって、調整手段の現在の位置に対応する量の値を常に知る。
【００２８】
ピペットが電力を受けていない間に量調整手段が変更されたときに、試料採取されるべき量の値がどのように表示されるかを以下に説明する。
工場で一般に行なわれる第１工程は、この場合には校正値である基準値をピペットのマイクロプロセッサのメモリに入れることよりなる。この工程は、ピペットで実際に試料採取され、調整手段の所定の構成に対応する液体の量を測定する（特に秤量する）ことによって実験的に定められた量の値の場合である。
ここでは、校正値が２５０ミクロメータの値に相当し、且つレジスタ領域９４の後の２回の完全な旋回プラス３５道程に対応するものと仮定される。
【００２９】
ピペットが電力を受けていない間に量調整手段の位置が変更されるものと仮定される。例えば、ノブ８は軸線のまわりのねじの位置が変更されるように回動される。ピペットがもう一度始動されると、マイクロプロセッサは、先に表示されたもの同じ値を表示するようにピペットがオフに切換えされたときにブラシが移動した道程を考慮しない。従って、この値は誤っている。
下記の操作は、ピペットが再び正しい値を表示すべき位置になるように行なわれる。
使用者は調整手段を底接触位置に戻す。このようにして、ねじ１０がその底移動限度に機械的当接した状態に戻される。ピペットは、接触させることがコーダー６４およびブラシから独立した電気または電子手段でマイクロプロセッサにより検出されるように、公知なように構成されている。この検出により、マイクロプロセッサは、ねじが移動の底端部にあることを認識する。
【００３０】
使用者は、値を増大するように値の調整をもう一度変更する。ブラシ６８がレジスタ領域９４を始めて通り越すと、この通過は当接以後の始めての通過としてマイクロプロセッサにより検出される。従って、マイクロプロセッサは、この時点で、校正値、つまり、２回の完全な旋回プラス３５道程および２５０ミクロメータに対応する位置に対する調整手段の絶対位置を突き止めることを知る。従って、マイクロプロセッサは、これらの２つのデータおよび移動された道程の数から、表示されるべき量の値をいつでも算出することができる。
例えば、レジスタ領域９４との最後の接触の後に１０道程が移動されたことをカウンタが記録すると、このカウンタは、表示されるべき量が２５０−３５＋１０−１００、すなわち、１２５ミクロメータであることを知る。
【００３１】
当然、本発明の範囲を逸脱することなしに本発明の多くの変更例を行うことができる。
レジスタ領域はトラックのうちの１つと並ぶ箇所以外のところに配置されることができる。レジスタ領域はインクレメントの構成と異なる構成を有することができる。レジスタ領域は２つのインクレメントより大きいまたはそれに等しい角度値にわたって延びることができる。
基準値に対応する所定の構成はねじの移動停止端部の構成以外の構成であることができる。
【図面の簡単な説明】
【００３２】
【図１】本発明の好適実施の形態によるピペットの長さ方向の軸方向断面図である。
【図２】図１のピペットの中間部分の拡大図である。
【図３】図１のピペットのねじと、ブラシ支持体と、トラック支持体とを示す斜視図である。
【図４】ブラシおよびそれらの支持体の分解斜視図である。
【図５】図３のトラック支持体の詳細平面図である。
【図６】ブラシがトラック上で移動するときに図１のマイクロプロセッサにより受信される信号を示す図である。
【図１】
2007528494.tif 000003
【図２】
2007528494.tif 000004
【図３】
2007528494.tif 000005
【図４】
2007528494.tif 000006
【図５】
2007528494.tif 000007
【図６】
2007528494.tif 000008
【国際調査報告】
2007528494.tif 000009
2007528494.tif 000010
2007528494.tif 000011